(57)【要約】  【課題】  本発明は、テレビ放送の視聴を中断しなければならなくなった場合でも、その中断したテレビ放送の続きを録画しておき、あとでその続きを再生することができる携帯端末装置及びテレビ放送録画システムを提供することを目的とする。  【解決手段】  本発明の携帯端末装置は、テレビ放送を受信するテレビ受信部１１と、テレビ番組を再生する再生制御部１２と、受信したテレビ番組の録画が可能な録画再生装置２と通信を行う通信部１７と、を備えた携帯端末装置１であって、前記通信部１７は、前記テレビ受信部１１により受信するテレビ放送のチャネルと前記テレビ受信部１１により受信したテレビ番組の再生を前記再生制御部１２により開始した第１の時刻とを含む第１の視聴情報と、前記チャネルと前記再生制御部１２によるテレビ番組の再生を中断した第２の時刻とを含む第２の視聴情報と、を前記録画再生装置２に送信することを特徴とするものである。【選択図】  図１
2006246363.tif 000002
【特許請求の範囲】
【請求項１】
テレビ放送を受信するテレビ受信手段と、
テレビ番組を再生する再生手段と、
受信したテレビ番組の録画が可能な録画装置と通信を行う通信手段と、
を備えた携帯端末装置であって、
前記通信手段は、前記テレビ受信手段により受信するテレビ放送のチャネルと前記テレビ受信手段により受信したテレビ番組の再生を前記再生手段により開始した第１の時刻とを含む第１の視聴情報と、前記チャネルと前記再生手段によるテレビ番組の再生を中断した第２の時刻とを含む第２の視聴情報と、を前記録画装置に送信することを特徴とする携帯端末装置。
【請求項２】
請求項１記載の携帯端末装置であって、
前記テレビ受信手段により受信するテレビ放送の受信電波強度を検出する検出手段を備え、
前記第２の時刻は、前記検出手段が検出した受信電波強度が予め設定した閾値以下となる時刻であることを特徴とする携帯端末装置。
【請求項３】
請求項１または２記載の携帯端末装置であって、
入力操作を受け付ける入力手段を有し、
前記第２の時刻は、前記入力手段によりテレビ番組の再生中断操作を受け付けた時刻であることを特徴とする携帯端末装置。
【請求項４】
請求項１から３いずれかに記載の携帯端末装置であって、
前記通信手段は、前記第１の視聴情報と前記第２の視聴情報とを送信した録画装置から、前記チャネルのテレビ番組を受信し、
前記再生手段は、前記通信手段により受信したテレビ番組を再生することを特徴とする携帯端末装置。
【請求項５】
請求項４記載の携帯端末装置であって、
前記通信手段により受信したテレビ番組を記録する記録手段を備え、
前記再生手段は、前記記録手段により記録したテレビ番組を再生することを特徴とする携帯端末装置。
【請求項６】
請求項４または５記載の携帯端末装置であって、
前記通信手段は、前記第１の視聴情報と前記第２の視聴情報とを送信した録画装置から、前記チャネルのテレビ番組のうちの、前記第１の時刻以降に放送されたテレビ番組を受信することを特徴とする携帯端末装置。
【請求項７】
請求項４から６いずれかに記載の携帯端末装置であって、
前記通信手段は、前記第１の視聴情報と前記第２の視聴情報とを送信した録画装置から、前記チャネルのテレビ番組のうちの、前記第２の時刻以降に放送されたテレビ番組を受信することを特徴とする携帯端末装置。
【請求項８】
請求項４から６いずれかに記載の携帯端末装置であって、
前記再生手段は、前記テレビ番組のうちの、前記第１の時刻以降に放送されたテレビ番組を再生することを特徴とする携帯端末装置。
【請求項９】
請求項４から７いずれかに記載の携帯端末装置であって、
前記再生手段は、前記テレビ番組のうちの、前記第２の時刻以降に放送されたテレビ番組を再生することを特徴とする携帯端末装置。
【請求項１０】
請求項４から７いずれかに記載の携帯端末装置であって、
前記再生手段は、前記テレビ番組のうちの、前記第２の時刻より予め設定された時間分前の時刻以降に放送されたテレビ番組を再生することを特徴とする携帯端末装置。
【請求項１１】
請求項１から１０いずれかに記載の携帯端末装置であって、
前記通信手段は、前記チャネルと、前記第２の時刻後の、当該テレビ番組の再生を再開した第３の時刻と、を含む第３の視聴情報を前記録画装置に送信することを特徴とする携帯端末装置。
【請求項１２】
請求項１１記載の携帯端末装置であって、
前記テレビ受信手段により受信するテレビ放送の受信電波強度を検出する検出手段を備え、
前記第３の時刻は、前記第２の時刻後の、前記検出手段が検出した受信電波強度が予め設定した閾値以上となる時刻であることを特徴とする携帯端末装置。
【請求項１３】
請求項１１記載の携帯端末装置であって、
入力操作を受け付ける入力手段を有し、
前記第３の時刻は、前記第２の時刻後の、前記入力手段によりテレビ番組の再生再開操作を受け付けた時刻であることを特徴とする携帯端末装置。
【請求項１４】
請求項１１から１３いずれかに記載の携帯端末装置であって、
前記通信手段は、前記第３の視聴情報を送信した録画装置から、前記チャネルのテレビ番組のうちの、少なくとも前記第２の時刻から前記第３の時刻までの区間に放送されたテレビ番組を受信することを特徴とする携帯端末装置。
【請求項１５】
請求項１１から１４記載の携帯端末装置であって、
前記再生手段は、前記通信手段により受信したテレビ番組のうちの、前記第２の時刻から前記第３の時刻までの区間に放送されたテレビ番組を再生することを特徴とする携帯端末装置。
【請求項１６】
請求項４から１５いずれかに記載の携帯端末装置であって、
前記通信手段は、前記再生手段が前記テレビ受信手段により受信したテレビ番組を再生している間、前記録画装置から前記チャネルのテレビ番組を受信することを特徴とする携帯端末装置。
【請求項１７】
請求項４から１６いずれかに記載の携帯端末装置であって、
前記再生手段は、前記テレビ受信手段により受信したテレビ番組、前記通信手段により受信したテレビ番組または前記記憶手段に記憶したテレビ番組の少なくとも２つを、異なる再生状態で再生することを特徴とする携帯端末装置。
【請求項１８】
請求項８から１７いずれかに記載の携帯端末装置であって、
前記再生手段は、前記テレビ番組のうちの、前記第１の時刻または前記第３の時刻以降に放送されたテレビ番組と、前記第２の時刻以降に放送されたテレビ番組と、を異なる再生状態により再生することを特徴とする携帯端末装置。
【請求項１９】
請求項８から１８いずれかに記載の携帯端末装置であって、
前記再生手段は、前記テレビ番組のうちの、前記第１の時刻、前記第２の時刻または第３の時刻以降に放送されたテレビ番組を、各々位置の異なる表示箇所で表示することを特徴とする携帯端末装置。
【請求項２０】
請求項１から３いずれかに記載の携帯端末装置と、受信したテレビ番組の録画が可能な録画装置と、から構成されるテレビ放送録画システムであって、
前記録画装置は、
テレビ放送を受信するテレビ受信手段と、
前記テレビ受信手段により受信したテレビ番組を録画する録画手段と、
前記携帯端末装置と通信を行う通信手段と、を備え、
前記通信手段が、前記第１の視聴情報を前記携帯端末装置から受信し、
前記録画手段が、前記通信手段により受信した前記第１の視聴情報に含まれるチャネルのテレビ番組を録画することを特徴とするテレビ放送録画システム。
【請求項２１】
請求項４から１９いずれかに記載の携帯端末装置と、受信したテレビ番組の録画が可能な録画装置と、から構成されるテレビ放送録画システムであって、
前記録画装置は、
テレビ放送を受信するテレビ受信手段と、
前記テレビ受信手段により受信したテレビ番組を録画する録画手段と、
前記携帯端末装置と通信を行う通信手段と、を備え、
前記通信手段が、前記第１の視聴情報を前記携帯端末装置から受信し、
前記録画手段が、前記通信手段により受信した前記第１の視聴情報に含まれるチャネルのテレビ番組を録画し、
前記通信手段が、前記録画手段により録画したテレビ番組を前記携帯端末装置に送信することを特徴とするテレビ放送録画システム。
【請求項２２】
請求項２１記載のテレビ放送録画システムであって、
前記録画装置は、
前記録画手段が、前記第１の視聴情報に含まれるチャネルのテレビ番組のうちの、前記第１の視聴情報に含まれる第１の時刻以降に放送されたテレビ番組を録画することを特徴とするテレビ放送録画システム。
【請求項２３】
請求項２１または２２記載のテレビ放送録画システムであって、
前記録画装置は、
前記通信手段が、前記第２の視聴情報を前記携帯端末装置から受信し、
前記録画手段が、前記第１の視聴情報に含まれるチャネルのテレビ番組のうちの、少なくとも前記第２の視聴情報に含まれる第２の時刻以降に放送されたテレビ番組を録画することを特徴とするテレビ放送録画システム。
【請求項２４】
請求項２１から２３いずれかに記載のテレビ放送録画システムであって、
前記録画装置は、
前記通信手段が、前記第３の視聴情報を前記携帯端末装置から受信し、
前記録画手段が、前記第１の視聴情報に含まれるチャネルのテレビ番組のうちの、少なくとも前記第２の視聴情報に含まれる第２の時刻から前記第３の視聴情報に含まれる第３の時刻までの区間に放送されたテレビ番組を録画することを特徴とするテレビ放送録画システム。
【請求項２５】
請求項２１または２２記載のテレビ放送録画システムであって、
前記録画装置は、
前記通信手段が、前記録画手段により録画したテレビ番組のうちの、前記第１の時刻以降に放送されたテレビ番組を、前記携帯端末装置に送信することを特徴とするテレビ放送録画システム。
【請求項２６】
請求項２３記載のテレビ放送録画システムであって、
前記録画装置は、
前記通信手段が、前記録画手段により録画したテレビ番組のうちの、前記第２の時刻以降に放送されたテレビ番組を、前記携帯端末装置に送信することを特徴とするテレビ放送録画システム。
【請求項２７】
請求項２４記載のテレビ放送録画システムであって、
前記録画装置は、
前記通信手段が、前記第２の視聴情報を前記携帯端末装置から受信し、前記録画手段により録画したテレビ番組のうちの、前記第２の時刻から前記第３の時刻までの区間に放送されたテレビ番組を、前記携帯端末装置に送信することを特徴とするテレビ放送録画システム。
【請求項２８】
請求項２０から２７いずれかに記載のテレビ放送録画システムであって、
前記録画装置は、前記録画手段により録画したテレビ番組を再生する再生手段を備えることを特徴とするテレビ放送録画システム。
【発明の詳細な説明】
【技術分野】
【０００１】
本発明は、テレビ放送を受信可能な携帯端末装置及びその携帯端末装置を用いたテレビ放送録画システムに関するものである。
【背景技術】
【０００２】
近年、テレビ番組を録画したり、再生したりする家庭用のレコーダは、テレビ番組の任意の位置にしおりを付加し、そのしおりを基に、レコーダに記録されたテレビ番組の内容を任意に検索、再生するものが知られている（例えば特許文献１参照）。
【０００３】
このレコーダによれば、例えば、前回途中まで視聴した番組にしおりを付加すれば、次回続けて視聴したい場合、その番組を容易に再生して視聴することができ、また、重要なシーンにしおりを付加しておけば、後からもう一度視聴したい場合に、容易にそのシーンを見つけ出して視聴することができる。このように、しおり機能により、ユーザの視聴動作を補助することができ、ユーザは効率良く、所定の番組を所定の位置から視聴することができる。
【０００４】
ところで、テレビ放送を視聴することができる携帯端末装置も多く利用されている。この携帯端末装置により、携帯端末装置利用者は、どこででもテレビ放送を視聴することができる。
【特許文献１】特開２００２−４４５８６号公報（第２頁、図２）
【発明の開示】
【発明が解決しようとする課題】
【０００５】
上記のような携帯端末装置は、テレビ放送用電波の受信状態が悪かったり、携帯端末装置の電池容量が不足するなどして、テレビ放送の視聴を中断しなければならない場合が想定される。このような場合にも対応できるよう、その中断したテレビ放送の続きを録画しておき、あとでその続きを再生することができる機能を備えた携帯端末装置が求められている。
【０００６】
本発明は、上記の課題に鑑みてなされてもので、テレビ放送の視聴を中断しなければならなくなった場合でも、その中断したテレビ放送の続きを録画しておき、あとでその続きを再生することができる携帯端末装置及びテレビ放送録画システムを提供することを目的とする。
【課題を解決するための手段】
【０００７】
本発明の携帯端末装置は、テレビ放送を受信するテレビ受信手段と、テレビ番組を再生する再生手段と、受信したテレビ番組の録画が可能な録画装置と通信を行う通信手段と、を備えた携帯端末装置であって、前記通信手段は、前記テレビ受信手段により受信するテレビ放送のチャネルと前記テレビ受信手段により受信したテレビ番組の再生を前記再生手段により開始した第１の時刻とを含む第１の視聴情報と、前記チャネルと前記再生手段によるテレビ番組の再生を中断した第２の時刻とを含む第２の視聴情報と、を前記録画装置に送信することを特徴とするものである。
【０００８】
本発明のテレビ放送録画システムは、本発明の携帯端末装置と、受信したテレビ番組の録画が可能な録画装置と、から構成されるテレビ放送録画システムであって、前記録画装置は、テレビ放送を受信するテレビ受信手段と、前記テレビ受信手段により受信したテレビ番組を録画する録画手段と、前記携帯端末装置と通信を行う通信手段と、を備え、前記通信手段が、前記第１の視聴情報を前記携帯端末装置から受信し、前記録画手段が、前記通信手段により受信した前記第１の視聴情報に含まれるチャネルのテレビ番組を録画することを特徴とするものである。
【０００９】
この構成によれば、携帯端末装置によるテレビ放送の視聴を中断しなければならない場合でも、視聴していたテレビ放送を録画装置に録画しておくことにより、その中断したテレビ放送の続きを視聴することができる。
【００１０】
また、本発明の携帯端末装置は、前記テレビ受信手段により受信するテレビ放送の受信電波強度を検出する検出手段を備え、前記第２の時刻は、前記検出手段が検出した受信電波強度が予め設定した閾値以下となる時刻であることを特徴とするものを含む。
【００１１】
また、本発明の携帯端末装置は、入力操作を受け付ける入力手段を有し、前記第２の時刻は、前記入力手段によりテレビ番組の再生中断操作を受け付けた時刻であることを特徴とするものを含む。
【００１２】
この構成により、使用者が視聴可能状況にあるか否かを効果的に検出することができる。
【００１３】
また、本発明の携帯端末装置は、前記通信手段は、前記第１の視聴情報と前記第２の視聴情報とを送信した録画装置から、前記チャネルのテレビ番組を受信し、前記再生手段は、前記通信手段により受信したテレビ番組を再生することを特徴とするものを含む。
【００１４】
また、本発明のテレビ放送録画システムは、本発明の携帯端末装置と、受信したテレビ番組の録画が可能な録画装置と、から構成されるテレビ放送録画システムであって、前記録画装置は、テレビ放送を受信するテレビ受信手段と、前記テレビ受信手段により受信したテレビ番組を録画する録画手段と、前記携帯端末装置と通信を行う通信手段と、を備え、前記通信手段が、前記第１の視聴情報を前記携帯端末装置から受信し、前記録画手段が、前記通信手段により受信した前記第１の視聴情報に含まれるチャネルのテレビ番組を録画し、前記通信手段が、前記録画手段により録画したテレビ番組を前記携帯端末装置に送信することを特徴とするものを含む。
【００１５】
この構成により、別に設けた録画装置だけではなく、携帯端末装置によっても視聴を中断したテレビ放送の続きを視聴することができる。
【００１６】
また、本発明の携帯端末装置は、前記通信手段により受信したテレビ番組を記録する記録手段を備え、前記再生手段は、前記記録手段により記録したテレビ番組を再生することを特徴とするものを含む。
【００１７】
この構成により、テレビ番組を視聴しながら、録画再生装置が録画したテレビ番組データを記憶することができる。
【００１８】
また、本発明の携帯端末装置は、前記通信手段は、前記第１の視聴情報と前記第２の視聴情報とを送信した録画装置から、前記チャネルのテレビ番組のうちの、前記第１の時刻以降に放送されたテレビ番組を受信することを特徴とするものを含む。
【００１９】
また、本発明の携帯端末装置は、前記再生手段は、前記テレビ番組のうちの、前記第１の時刻以降に放送されたテレビ番組を再生することを特徴とするものを含む。
【００２０】
また、本発明のテレビ放送録画システムは、前記録画装置は、前記録画手段が、前記第１の視聴情報に含まれるチャネルのテレビ番組のうちの、前記第１の視聴情報に含まれる第１の時刻以降に放送されたテレビ番組を録画することを特徴とするものを含む。
【００２１】
また、本発明のテレビ放送録画システムは、前記録画装置は、前記通信手段が、前記録画手段により録画したテレビ番組のうちの、前記第１の時刻以降に放送されたテレビ番組を、前記携帯端末装置に送信することを特徴とするものを含む。
【００２２】
この構成により、別に設けた録画装置に予め視聴したいテレビ番組の録画を予約させることなしに、携帯端末装置により視聴を中断したテレビ番組の続きを視聴することができる。
【００２３】
また、本発明の携帯端末装置は、前記通信手段は、前記第１の視聴情報と前記第２の視聴情報とを送信した録画装置から、前記チャネルのテレビ番組のうちの、前記第２の時刻以降に放送されたテレビ番組を受信することを特徴とするものを含む。
【００２４】
また、本発明の携帯端末装置は、前記再生手段は、前記テレビ番組のうちの、前記第２の時刻以降に放送されたテレビ番組を再生することを特徴とするものを含む。
【００２５】
また、本発明のテレビ放送録画システムは、前記録画装置は、前記通信手段が、前記第２の視聴情報を前記携帯端末装置から受信し、前記録画手段が、前記第１の視聴情報に含まれるチャネルのテレビ番組のうちの、少なくとも前記第２の視聴情報に含まれる第２の時刻以降に放送されたテレビ番組を録画することを特徴とするものを含む。
【００２６】
また、本発明のテレビ放送録画システムは、前記録画装置は、前記通信手段が、前記録画手段により録画したテレビ番組のうちの、前記第２の時刻以降に放送されたテレビ番組を、前記携帯端末装置に送信することを特徴とするものを含む。
【００２７】
この構成により、携帯端末装置により視聴を中断したテレビ番組の続きから、迅速に視聴することができる。
【００２８】
また、本発明の携帯端末装置は、前記通信手段は、前記チャネルと、前記第２の時刻後の、当該テレビ番組の再生を再開した第３の時刻と、を含む第３の視聴情報を前記録画装置に送信することを特徴とするものを含む。
【００２９】
また、本発明の携帯端末装置は、前記通信手段は、前記第３の視聴情報を送信した録画装置から、前記チャネルのテレビ番組のうちの、少なくとも前記第２の時刻から前記第３の時刻までの区間に放送されたテレビ番組を受信することを特徴とするものを含む。
【００３０】
また、本発明の携帯端末装置は、前記再生手段は、前記通信手段により受信したテレビ番組のうちの、前記第２の時刻から前記第３の時刻までの区間に放送されたテレビ番組を再生することを特徴とするものを含む。
【００３１】
また、本発明のテレビ放送録画システムは、前記録画装置は、前記通信手段が、前記第３の視聴情報を前記携帯端末装置から受信し、前記録画手段が、前記第１の視聴情報に含まれるチャネルのテレビ番組のうちの、少なくとも前記第２の視聴情報に含まれる第２の時刻から前記第３の視聴情報に含まれる第３の時刻までの区間に放送されたテレビ番組を録画することを特徴とするものを含む。
【００３２】
また、本発明のテレビ放送録画システムであって、前記録画装置は、前記通信手段が、前記第２の視聴情報を前記携帯端末装置から受信し、前記録画手段により録画したテレビ番組のうちの、前記第２の時刻から前記第３の時刻までの区間に放送されたテレビ番組を、前記携帯端末装置に送信することを特徴とするものを含む。
【００３３】
この構成により、携帯端末装置により視聴を中断したテレビ番組の続きだけを、視聴することができる。
【００３４】
また、本発明の携帯端末装置は、前記通信手段は、前記再生手段が前記テレビ受信手段により受信したテレビ番組を再生している間、前記録画装置から前記チャネルのテレビ番組を受信することを特徴とするものを含む。
【００３５】
この構成により、テレビ番組を視聴しながら、録画再生装置が録画したテレビ番組データを記憶することができる。
【００３６】
また、本発明の携帯端末装置は、前記再生手段は、前記テレビ受信手段により受信したテレビ番組、前記通信手段により受信したテレビ番組または前記記憶手段に記憶したテレビ番組の少なくとも２つを、異なる再生状態で再生することを特徴とするものを含む。
【００３７】
この構成により、携帯端末装置によりテレビ番組を視聴している際、携帯端末装置のどの機能を利用して再生しているかを識別することができる。
【００３８】
また、本発明の携帯端末装置は、前記再生手段は、前記テレビ番組のうちの、前記第２の時刻より予め設定された時間分前の時刻以降に放送されたテレビ番組を再生することを特徴とするものを含む。
【００３９】
この構成により、携帯端末装置により視聴を中断したテレビ番組の続きを視聴する場合に、以前の内容を思い出すことができる。
【００４０】
また、本発明の携帯端末装置は、前記再生手段は、前記テレビ番組のうちの、前記第１の時刻または前記第３の時刻以降に放送されたテレビ番組と、前記第２の時刻以降に放送されたテレビ番組と、を異なる再生状態により再生することを特徴とするものを含む。
【００４１】
この構成により、視聴済のテレビ番組と未視聴のテレビ番組とを容易に判別することができる。
【００４２】
また、本発明の携帯端末装置は、前記再生手段は、前記テレビ番組のうちの、前記第１の時刻、前記第２の時刻または第３の時刻以降に放送されたテレビ番組を、各々位置の異なる表示箇所で表示することを特徴とするものを含む。
【００４３】
この構成により、複数のテレビ番組データを同時に視聴することができる。
【００４４】
また、本発明のテレビ放送録画システムは、前記録画装置は、前記録画手段により録画したテレビ番組を再生する再生手段を備えることを特徴とするものを含む。
【００４５】
この構成により、外部に設けた録画装置によっても、携帯端末装置により視聴を中断したテレビ番組の続きを視聴することができる。
【発明の効果】
【００４６】
本発明の携帯端末装置およびテレビ放送録画システムによれば、テレビ放送の視聴を中断しなければならなくなった場合でも、その中断したテレビ放送の続きを録画しておき、あとでその続きを再生することができる。
【発明を実施するための最良の形態】
【００４７】
以下、本発明の実施の形態の携帯端末装置及びテレビ放送録画システムについて、図面を用いて説明する。
【００４８】
図１に、本発明の実施の形態のテレビ放送録画システムの構成を示すブロック図を示す。本システムは、テレビ放送の受信および受信したテレビ番組の再生を行うことができる携帯端末装置１と、テレビ放送の受信および受信したテレビ番組の録画、再生を行うことができる録画再生装置２と、から構成されている。また、本システムは、携帯端末装置１と録画再生装置２との無線通信を行うための基地局３と、録画再生装置２により再生された映像情報および音声情報を出力する出力装置を含む。
【００４９】
携帯端末装置１は、テレビ放送を受信するテレビ受信部１１、映像の出力を制御する再生制御部１２、視聴情報を管理する視聴情報管理部１３、テレビ番組の映像情報を表示する映像表示部１４、テレビ番組の音声情報を出力する音声出力部１８、ユーザーの入力操作を受け付けるユーザーインターフェース部１５、内部メモリ部１６、及び、録画再生装置２と通信を行う通信部１７を備えている。
【００５０】
録画再生装置２は、テレビ放送を受信するテレビ受信部２１、携帯端末装置１と通信を行う通信部２２、受信したテレビ番組の録画と、録画したテレビ番組の再生の制御を行う録画再生制御部２３、再生するテレビ番組の映像情報および音声情報を出力装置４に出力する再生情報出力部２５、及び、録画するテレビ番組を記録する記録部２６を備えている。
【００５１】
携帯端末装置１の再生制御部１２は、ユーザインターフェース部１５が当該携帯端末装置の利用者によりあるチャネルのテレビ放送を視聴開始するための入力操作を受け付けたことを検知すると、そのチャネルのテレビ放送をテレビ受信部１１により受信し、その受信したテレビ番組の映像情報を映像表示部１４に表示し、音声情報を音声出力部１８に出力するよう制御する。同時に、再生制御部１２は、テレビ放送の第１のチャネル、ユーザインターフェース部１５により視聴開始するための入力操作を受け付けた時刻、および、視聴開始状態であることを示すステータス、を視聴情報管理部１３に通知する。視聴情報管理部１３は、再生制御部１２から通知された第１のチャネル、時刻、および、ステータスに基づいて生成した第１の視聴情報を通信部１７に通知し、通信部１７は、通信用の基地局を介して、録画再生装置２に第１の視聴情報を送信する。
【００５２】
また、再生制御部１２は、ユーザインターフェース部１５が当該携帯端末装置の利用者から視聴中のテレビ番組を中断するための入力操作を受け付けたことを検知する、あるいは、何らかの原因（例えば、テレビ放送用電波の受信状態が悪い、携帯端末装置の故障、または、携帯端末装置の電力不足）で視聴中のテレビ番組を中断せざるを得ないことを検知すると、視聴を中断するテレビ放送のチャネル、その検知した時刻、および、視聴中断状態であることを示すステータスを、視聴情報管理部１３に通知する。視聴情報管理部１３は、再生制御部１２から通知されたチャネル、時刻、およびステータスに基づいて生成した第２の視聴情報を通信部１７に通知し、通信部１７は、通信用の基地局を介して、録画再生装置２に第２の視聴情報を送信する。
【００５３】
また、再生制御部１２は、ユーザインターフェース部１５が当該装置の利用者から視聴を中断していたテレビ放送を再開するための入力操作を受け付けたことを検知する、あるいは、上記の何らかの原因（例えば、テレビ放送用電波の受信状態が悪い、携帯端末装置の故障、または、携帯端末装置の電力不足）が解消され、視聴を再開できることを検知すると、視聴を再開するテレビ放送のチャネル、その検知した時刻、および、視聴再開状態であることを示すステータスを、視聴情報管理部１３に通知する。視聴情報管理部１３は、再生制御部１２から通知されたチャネル、時刻、ステータスに基づいて生成した第３の視聴情報を通信部１７に通知し、通信部１７は、通信用の基地局を介して、録画再生装置２に第３の視聴情報を送信する。
【００５４】
図２は、本発明の実施の形態のテレビ放送録画システムにおける、視聴情報の構成を示す図である。視聴情報は、携帯端末装置１で指定されたテレビ放送のチャネルを表す視聴チャネルと、携帯端末装置１での視聴開始、視聴中断、視聴再開の要求発生時の時間を表すタイムスタンプと、視聴開始／終了、視聴中断／再開（さらに、受信電波状況ＯＫ／ＮＧ等の視聴中断／再開した原因）を示すステータスと、を含んで構成されている。上述の第１、２、３の視聴情報の場合、視聴チャネルには同じチャネルが、タイムスタンプには再生制御部１２が検知したそれぞれの時刻が、ステータスには視聴開始、視聴中断、視聴再開が、記載されることになる。視聴情報の構成は、この構成に限るものではなく、種々の情報を付加した構成としてもよい。
【００５５】
録画再生装置２の録画再生制御部２３は、通信部２２が基地局３から（第１の）視聴情報を受信したことを検知すると、（第１の）視聴情報のステータスが視聴開始であることを判別し、（第１の）視聴情報の視聴チャネルに記載されているチャネルのテレビ放送をテレビ受信部２１により受信し、（第１の）視聴情報のタイムスタンプに記載されている時刻からその受信したテレビ番組を記録部２６に記録開始するよう制御する。本発明の実施の形態のテレビ放送録画システムでは、携帯端末装置１の再生制御部１２が視聴開始するための入力操作を受け付けたことを検知する時刻と、録画再生装置２の録画再生制御部２３が記録部２６にテレビ番組の記録を開始する時刻との間に、通信による遅延や再生制御部１２および録画再生制御部２３の処理による遅延が発生するために時間差が発生する場合が考えられる。このような場合、録画再生制御部２３は、第１の視聴情報のタイムスタンプに記載されている時刻からではなく、テレビ受信部２１により受信を開始した時刻から、その受信したテレビ番組を記録部２６に記録開始するよう制御してもよい。
【００５６】
また、録画再生制御部２３は、通信部２２が基地局３から（第２の）視聴情報を受信したことを検知すると、（第２の）視聴情報のステータスが視聴中断であることを判別し、（第２）の視聴情報のタイムスタンプに記載されている時刻に対応する、記録部２６に記録中のテレビ番組位置に、視聴中断状態であることを示すしおりを登録するよう制御する。
【００５７】
また、録画再生制御部２３は、通信部２２が基地局３から（第３の）視聴情報を受信したことを検知すると、（第３の）視聴情報のステータスが視聴再開であることを判別し、（第３）の視聴情報のタイムスタンプに記載されている時刻に対応する、記録部２６に記録中のテレビ番組位置に、視聴再開状態であることを示すしおりを登録するよう制御する。
【００５８】
さらに、上述の録画中のテレビ番組へのしおりの登録手順について、詳細に説明する。図３に本発明の実施の形態の携帯端末装置における録画時のタイムチャートを示す。
【００５９】
当該携帯端末装置利用者が携帯端末装置１によるあるチャネルのテレビ番組の視聴を開始すると、そのチャネル、その開始した時刻および視聴開始状態であることが記載された視聴情報Ａが録画再生装置２に通知され、録画再生装置２での番組録画が開始される。当該携帯端末装置利用者が操作して携帯端末装置１によるテレビ番組の視聴を中断すると、携帯端末装置１は、その中断した時刻および視聴中断状態であることが記載された視聴情報Ｂを録画再生装置２に送信し、録画再生装置２は、視聴情報Ｂのタイムスタンプに記載されている時刻に対応する、記録部２６に記録中のテレビ番組位置に、視聴中断状態であることを示すしおりを登録する。このとき、テレビ番組の視聴を開始してからテレビ放送の視聴を中断する時刻までの間、携帯端末装置１でのテレビ視聴中（１）となる。
【００６０】
当該携帯端末装置利用者が操作して携帯端末装置１によるテレビ放送の視聴を再開すると、携帯端末装置１は、その再開した時刻および視聴再開状態であることが記載された視聴情報Ｃを録画再生装置２に送信し、録画再生装置２は、視聴情報Ｃのタイムスタンプに記載されている時刻に対応する、記録部２６に記録中のテレビ番組位置に、視聴再開状態であることを示すしおりを登録する。このとき、テレビ番組の視聴を中断してからテレビ放送の視聴を再開する時刻までの間、携帯端末装置１でのテレビ視聴中断中（２）となる。
【００６１】
携帯端末装置１は、例えばテレビ電波が受信不可となると、携帯端末装置１は、その受信不可となった時刻および受信不可状態であることが記載された視聴情報Ｄを録画再生装置２に送信し、録画再生装置２は、視聴情報Ｄのタイムスタンプに記載されている時刻に対応する、記録部２６に記録中のテレビ番組位置に、受信不可状態であることを示すしおりを登録する。このとき、テレビ視聴の再開からテレビ電波の受信不可までの間、携帯端末装置１でのテレビ視聴中（３）となる。
【００６２】
携帯端末装置１は、テレビ電波の受信が回復すると、その受信可能となった時刻および受信可能状態であることが記載された視聴情報Ｅを録画再生装置２に送信し、録画再生装置２は、視聴情報Ｅのタイムスタンプに記載されている時刻に対応する、記録部２６に記録中のテレビ番組位置に、受信可能状態であることを示すしおりを登録する。このとき、テレビ電波の受信不可からテレビ電波の受信可能までの間、携帯端末装置１でのテレビ視聴不可（４）となる。
【００６３】
当該携帯端末装置利用者が携帯端末装置１によるあるチャネルのテレビ番組の視聴を終了する操作を行った場合、携帯端末装置１は、その終了する操作が行われた時刻および視聴終了状態であることが記載された視聴情報Ｆを録画再生装置２に送信し、録画再生装置２は、視聴情報Ｆのタイムスタンプに記載されている時刻に対応する、記録部２６に記録中のテレビ番組位置に、視聴終了状態であることを示すしおりを登録し、テレビ番組の録画を終了する。ここでは、当該携帯端末装置利用者が携帯端末装置１によりテレビ番組の視聴を終了する操作を行った場合に、録画再生装置２が録画を終了するように記載したが、録画していたテレビ番組が番組終了の定刻になった場合に録画再生装置２が自動的に録画を終了するようにしても良い。このとき、携帯端末装置１から視聴情報が送信されないが、録画再生装置２の録画再生制御部２３は、視聴情報のタイムスタンプに番組終了の定刻を、視聴情報のステータスに視聴終了を、それぞれ記載した視聴情報を生成し、テレビ番組の最後に、視聴終了状態であることを示すしおりを登録するよう制御することもできる。
【００６４】
上述の第１、第２、第３の視聴情報では、視聴チャネルが同じチャネルである場合、つまり、携帯端末装置利用者はテレビ放送視聴中にテレビ放送のチャネルを切り替えない場合について説明したが、携帯端末装置利用者はテレビ番組途中で視聴するテレビ番組のチャネルを切り替えることも考えられる。以下、携帯端末装置利用者がテレビ番組の視聴開始後、途中で視聴するテレビ番組のチャネルを切り替える場合について、図４に、本発明の実施の形態の携帯端末装置における、テレビ番組切り替えする場合の、録画時のタイムチャートを説明する。
【００６５】
携帯端末装置１の再生制御部１２は、ユーザインターフェース部１５が当該携帯端末装置の利用者により第１のチャネルのテレビ放送を視聴開始するための入力操作を受け付けたことを検知すると、その第１のチャネルのテレビ放送をテレビ受信部１１により受信し、その受信したテレビ番組の映像情報を映像表示部１４に表示し、音声情報を音声出力部１８に出力するよう制御する。同時に、再生制御部１２は、テレビ放送の第１のチャネル、ユーザインターフェース部１５により視聴開始するための入力操作を受け付けた時刻、および、視聴開始状態であることを示すステータス、を視聴情報管理部１３に通知する。視聴情報管理部１３は、再生制御部１２から通知された第１のチャネル、時刻、および、ステータスに基づいて生成した視聴情報Ａを通信部１７に通知し、通信部１７は、通信用の基地局を介して、録画再生装置２に視聴情報Ａを送信する。
【００６６】
録画再生装置２の録画再生制御部２３は、通信部２２が基地局３から視聴情報Ａを受信したことを検知すると、視聴情報Ａのステータスが視聴開始であることを判別し、視聴情報Ａの視聴チャネルに記載されている第１のチャネルのテレビ放送をテレビ受信部２１により受信し、視聴情報Ａのタイムスタンプに記載されている時刻からその受信したテレビ番組を記録部２６に記録開始するよう制御する。
【００６７】
この後、再生制御部１２は、ユーザインターフェース部１５が当該携帯端末装置の利用者により別のチャネル（第２のチャネル）のテレビ放送の視聴に切り替えるための入力操作を受け付けたことを検知すると、第２のチャネルのテレビ放送をテレビ受信部１１により受信し、その受信したテレビ番組の映像情報を映像表示部１４に表示し、音声情報を音声出力部１８に出力するよう制御する。同時に、再生制御部１２は、テレビ放送の第２のチャネル、ユーザインターフェース部１５により視聴するテレビ番組を切り替えるための入力操作を受け付けた時刻、および、視聴開始状態であることを示すステータス、を視聴情報管理部１３に通知する。視聴情報管理部１３は、再生制御部１２から通知された第２のチャネル、時刻、ステータスに基づいて生成した視聴情報Ａ’を通信部１７に通知し、通信部１７は、通信用の基地局を介して、録画再生装置２に視聴情報Ａ’を送信する。
【００６８】
録画再生制御部２３は、通信部２２が基地局３から視聴情報Ａ’を受信したことを検知すると、視聴情報Ａ’のステータスが視聴開始であることを判別し、視聴情報Ａ’の視聴チャネルに記載されている第２のチャネルのテレビ放送をテレビ受信部２１により受信し、視聴情報Ａ’のタイムスタンプに記載されている時刻からその受信したテレビ番組を引き続き記録部２６に記録開始するよう制御する。
【００６９】
この構成により、携帯端末装置利用者がテレビ番組の視聴開始後、途中で視聴するテレビ番組のチャネルを切り替える場合であっても、録画再生装置２に記録させることができる。
【００７０】
図３では、テレビ視聴の中断は、上記のようにユーザーが自ら停止する場合とテレビ受信電波状況の悪化のために受信不可能になった場合とがあるが、テレビ受信電波状況の判定は、受信データのエラーレートを用いることができ、受信ＯＫ／ＮＧをエラーレートの閾値を設けて判定することができる。デジタルテレビ放送においては、映像、音声を符号化したパケットデータを受信機側で復調する際にエラーレートをカウントすることで、受信電波状況を定量的に表現することができる。携帯電話端末１による視聴を停止せざるを得ない原因としては、受信電波状況の悪化以外に、携帯端末装置の故障、または、携帯端末装置の電力不足などがが挙げられるが、その場合も同様に検知して、処理することができる。
【００７１】
録画中のテレビ番組へのしおりの登録後、携帯端末装置１の再生制御部１２は、ユーザインターフェース部１５が当該装置の利用者によるテレビ放送を視聴していない区間のテレビ放送を視聴するための入力操作を受け付けたことを検知すると、視聴情報管理部１３を参照して、第２の視聴情報におけるタイムスタンプに記載の時刻から第３の視聴情報におけるタイムスタンプに記載の時刻の区間のテレビ放送データを録画再生装置２に送信するよう要求する要求情報を通信部１７に送信させる。録画再生装置２の録画再生制御部２３は、通信部２２により要求情報を受信したことを検知すると、記録部２６から読み出した第２の視聴情報におけるタイムスタンプに記載の時刻から第３の視聴情報におけるタイムスタンプに記載の時刻の区間のテレビ放送データを通信部２２に送信させる。録画再生装置２の再生制御部１２は、通信部１７により受信したテレビ放送データを内部メモリ１６に記憶させ、その記憶したテレビ放送データを読み出して映像表示部１４に表示させる。
【００７２】
この構成により、携帯端末装置１の利用者に別に設けた録画再生装置２に予め視聴したいテレビ番組の録画を予約させることなしに、テレビ番組を視聴できなくなった時点の続きから視聴を再開させることができる。また、別に設けた録画再生装置２だけではなく、携帯端末装置１によってもテレビ番組を視聴できなくなった時点の続きから使用者に視聴を再開させることができる。また、テレビ放送電波から受信したテレビ番組を視聴しながら、録画再生装置２が録画したテレビ番組データを記憶することもできる。
【００７３】
また、再生制御部１２は、テレビ受信部１１で受信したテレビ番組と、通信部１７で受信したテレビ番組または内部メモリ部１６に記憶したテレビ番組とを、同時に映像表示部１４に表示させるようにしても良い。あるいは、テレビ受信部１１で受信したテレビ番組と、通信部１７で受信したテレビ番組または内部メモリ部１６に記憶したテレビ番組とを表示状態を変えて表示するようにしても良い。この構成により、携帯端末装置利用者は、テレビ放送の視聴を止めること無く、複数のテレビ番組データを同時に視聴することができ、また、視聴することができなかった部分を容易に確認することができる。その際、ユーザが現時点でテレビの生放送を見ているのか、もしくは録画データを見ているのかを容易に確認できるように、画面に「ＬＩＶＥ」や「ＶＴＲ」などの表示もしくはインジケータを使用しても良く、ＬＥＤの点灯などを行っても良い。
【００７４】
また、録画再生装置２の録画再生制御部２３は、記憶部２６に登録したしおりを参照して、第２のしおりの時刻から第３のしおりの時刻の区間のテレビ番組を再生情報出力部２５に出力させ、出力装置４に出力させるようにすることもできる。
【００７５】
録画再生装置２に録画したテレビ放送のうち、携帯端末装置利用者が視聴できなかった部分のテレビ放送を録画再生装置２から携帯端末装置１に送信するように述べたが、録画再生装置２に録画したテレビ番組全て、あるいは、未視聴箇所が含まれるテレビ番組を携帯端末装置１に送信して、内部メモリ１６に記憶するようにしても良い。その際、携帯端末装置１は、内部メモリ１６に記憶したテレビ番組に登録されているしおりを参照して、当該携帯端末装置利用者が視聴できなくなった時点の続きから容易にテレビ番組を再開することができる。
【００７６】
このとき、図５に示す本発明の実施の形態の携帯端末装置１における映像表示部１４の表示例のように、各しおりの続きから、１画面を分割したそれぞれ別々の表示箇所にテレビ放送を表示させるようにしても良い（サムネイル表示）。この構成により、あるテレビ番組を複数の時点から同時に表示することができるため、使用者に効率良くテレビ番組を視聴させることができる。また、図５の６分割した表示箇所のそれぞれの左上に記載されている（１）〜（５）は、図３の（１）〜（５）に対応しているが、携帯端末装置利用者が視聴することができた（１）、（３）および（５）の区間と、視聴することができなかった（２）および（４）の区間とを異なる表示状態で表示することにより、当該装置利用者に視聴済のテレビ番組と未視聴のテレビ番組とを容易に判別させることができる。図５では、（１）、（３）および（５）の区間をモノクロ（白黒）表示にすることによって、異なる表示色により表示するようにしているが、表示する画面サイズを変えて表示するようにしても良い。
【００７７】
本発明の実施の形態のテレビ放送録画システムの動作の流れを、図６に示す、本発明の実施の形態のテレビ放送録画システムにおけるテレビ放送録画時の動作を示すフローチャートを参照して説明する。なお、図６において、四角で囲まれたフローは携帯端末装置の処理を、点線の四角で囲まれたフローは録画再生装置の処理を、それぞれ示している。
【００７８】
携帯端末装置１は、携帯端末装置利用者の操作を受け付けて、テレビ受信部１１により受信したテレビ番組の再生を開始すると（Ｓ１）、テレビ番組の再生を開始したことを表す視聴情報を録画再生装置２へ送信する（Ｓ２）。録画再生装置２は、携帯端末装置１から受信した視聴情報に基づいて、携帯端末装置利用者が視聴を開始したテレビ番組を視聴情報を受け取った時点から録画を開始する（Ｓ３）。携帯端末装置１は、この状態で、携帯端末装置利用者からテレビ放送の停止操作を受け付けたり、外部から携帯端末装置１に電話がかかってきたり、あるいは、テレビ放送の電波が途絶えたりして、テレビ放送の再生を中断すると（Ｓ４、ＹＥＳ）、その時点での視聴情報を内部メモリ部１６に格納するとともに（Ｓ５）、その視聴情報を録画再生装置２へ送信する（Ｓ６）。録画再生装置２は、その視聴情報を受信して、録画中のテレビ番組と共に記録部２６に登録する（Ｓ７）。
【００７９】
次に、携帯端末装置１が携帯端末装置利用者からテレビ放送の再開操作を受け付けたり、携帯端末装置１での通話が終了したり、テレビ放送の電波が受信可能状態に戻るなどして、中断したテレビ番組の再生を再開する場合の処理を説明する。当該テレビ番組の放送がまだ終了しておらず（Ｓ８、ＮＯ）、携帯端末装置１は、上記再生を中断したテレビ番組を再生することが再開できる場合（Ｓ９、ＹＥＳ）。このとき、携帯端末装置１は、テレビ放送の再生中断中に放送された番組を再生せず、再開した時点からのテレビ番組を再生する場合は（Ｓ１０、ＹＥＳ）、テレビ受信部１１により受信したテレビ放送を再生する（Ｓ１１）。
【００８０】
一方、携帯端末装置１は、テレビ放送の再生を中断した時点から、再生中断中に放送されたテレビ番組（録画内容）を再生する場合は（Ｓ１０、ＮＯ）、携帯端末装置１は、ステップＳ５の処理で内部メモリ部１６に格納した視聴情報を参照して、テレビ放送中断中に放送されたテレビ番組を送信するよう要求する要求情報を録画再生装置２に送信する（Ｓ１０１）。録画再生装置２は、その要求情報を受信して、そのテレビ番組を送信し（Ｓ１０２）、携帯端末装置１は、上記の視聴情報を基に再生中断中のテレビ番組の途中からテレビ番組を再生する（Ｓ１０３）。
【００８１】
ここで、上記ステップＳ４の処理で、携帯端末装置１がテレビ番組の再生を中断しない場合（Ｓ４、ＮＯ）、携帯端末装置利用者がそのテレビ番組を見続けることになり、そのテレビ番組が終了した時点で（Ｓ４１）、録画再生装置２はテレビ番組録画を終了する（Ｓ４２）。
【００８２】
また、ステップＳ８の処理で、中断したテレビ番組の再生を携帯端末装置１が再開する前にテレビ番組が終了していれば、録画再生装置２は、テレビ番組の録画を終了する（Ｓ８１）。そして、携帯端末装置１は、ステップＳ５の処理で内部メモリ部１６に格納した視聴情報を参照して、テレビ番組中断中に放送されたテレビ番組を送信するよう要求する要求情報を録画再生装置２に送信する（Ｓ８２１）。録画再生装置２は、その要求情報を受信して、そのテレビ番組を送信し（Ｓ８２２）、携帯端末装置１は、上記の視聴情報を基に再生中断中のテレビ番組の途中からテレビ放送データを再生する（Ｓ８２３）。ここでは、携帯端末装置１により中断したテレビ番組の続きを再生させるようにしたが、録画再生装置２によりステップＳ７の処理で記録部２６に格納した視聴情報を参照して、中断したテレビ番組の続きを再生させるようにしても良い（Ｓ８３）。
【００８３】
以上、本システムにおけるテレビ視聴の流れを説明したが、ユーザーは携帯端末装置１でテレビ番組を視聴しているときに、電話の着信があったり電車に乗るなどの外的要因により放送途中で視聴を停止しなければならない場合がある。このような場合、帰宅後に家のテレビでビデオ録画による続きを見るか、あるいは電話や乗車が終わったら携帯端末装置１で続きを見るかの選択肢があるが、上記のように本システムでは両方の選択が可能である。
【００８４】
なお、携帯端末装置１または録画再生装置２は、携帯端末装置１により視聴を中断したテレビ番組の続きを再生する際、視聴を中断した時点より予め設定した時間分前の時点から再生を開始するようにしても良い。これにより、テレビ番組の途中で視聴を中断した場合でも、視聴を中断した前のテレビ番組の内容を思い出すことができるため、テレビ番組の続きをより効果的に楽しむことができる。
【００８５】
また、携帯端末装置１にて中断したテレビ放送の続きを視聴するときに、録画再生装置２から録画データを転送するが、録画データを一括して携帯端末装置１にダウンロードするダウンロード転送の他に、録画データを転送・ダウンロードしながら携帯端末装置１側で再生するトリーミング転送を行っても良い。この場合、視聴再開までにかかる時間が短縮されるので、携帯端末利用者にとってはより便利になる。
【００８６】
上記の視聴情報の携帯端末装置１から録画再生装置２への通知は、メールにて通知する方法や、Ｗｅｂサーバーを経由して通知する方法や、近距離通信により通知する方法など、様々な通信方法を適用することができる。ここでは、一例として、Ｗｅｂサーバを用いた通信方法について説明する。図７に、Ｗｅｂサーバーを用いた視聴情報の送受信方法の一例を示す。また、図８に、Ｗｅｂサーバーを用いた視聴情報の送受信方法の処理の流れを示す。
【００８７】
携帯端末装置１からＷｅｂサーバー１０上の管理サイトにアクセスし、自分のＩＤを書き込むと、管理サイトが開いてオープン（Ｏｐｅｎ）となる。そして、視聴情報を書き込むと、管理サイトが閉じてクローズ（Ｃｌｏｓｅ）となる。Ｗｅｂサーバー１０は、その書き込まれた視聴情報を録画再生装置２にメールとして送ると、録画再生装置２からメール受信完了の報告が入る。
【００８８】
その際、Ｗｅｂサーバー１０から録画再生装置２への視聴情報の通知は、録画再生装置２が一定時間毎にＷｅｂサーバー１０にアクセスして視聴情報の有無をチェックし、視聴情報があればダウンロードするようにしても良い。また、Ｗｅｂサーバー１０を設けることなく、携帯端末装置１からメールサーバー経由で視聴情報をメールとして録画再生装置２に送信するようにしても良い。この視聴情報のメールは、図２に示すような視聴情報をメール本文に記しておくことにより、録画再生装置２の中で読み出すことができる。
【産業上の利用可能性】
【００８９】
本発明の携帯端末装置およびテレビ放送録画システムによれば、テレビ放送の視聴を中断しなければならなくなった場合でも、その中断したテレビ放送の続きを録画しておき、あとでその続きを再生することができるという効果を奏し、テレビ放送を受信可能な携帯端末装置及びその携帯端末装置を用いたテレビ放送録画システムの分野において、有用である。
【図面の簡単な説明】
【００９０】
【図１】本発明の実施の形態のテレビ放送録画システムの構成を示すブロック図
【図２】本発明の実施の形態のテレビ放送録画システムにおける、視聴情報の構成を示す図
【図３】本発明の実施の形態の携帯端末装置における録画時のタイムチャート
【図４】本発明の実施の形態の携帯端末装置における、テレビ番組切り替えする場合の、録画時のタイムチャート
【図５】本発明の実施の形態のテレビ放送録画システムにおける携帯端末装置の表示部の表示例を示す図
【図６】本発明の実施の形態のテレビ放送録画システムにおけるテレビ放送録画時の動作を示すフローチャート
【図７】本発明の実施の形態のテレビ放送録画システムにおけるＷｅｂサーバーを用いた視聴情報の送受信方法の一例を示す図
【図８】本発明の実施の形態のテレビ放送録画システムにおけるＷｅｂサーバーを用いた視聴情報の送受信方法の処理の流れを示す図
【符号の説明】
【００９１】
１  携帯端末装置
２  録画再生装置
３  基地局
４  出力装置
１１  テレビ受信部
１２  再生制御部
１３  視聴情報管理部
１４  映像表示部
１５  ユーザーインターフェース部
１６  内部メモリ部
１７  通信部
１８  音声出力部
２１  テレビ受信部
２２  通信部
２３  録画再生制御部
２５  再生情報出力部
２６  記録部
【図１】
2006246363.tif 000003
【図２】
2006246363.tif 000004
【図３】
2006246363.tif 000005
【図４】
2006246363.tif 000006
【図５】
2006246363.tif 000007
【図６】
2006246363.tif 000008
【図７】
2006246363.tif 000009
【図８】
2006246363.tif 000010